(57)【特許請求の範囲】
【請求項１】
取得された印刷データが記録紙に画像形成される際にスタンプを画像形成可能な画像形成装置において、
ペイン情報算出手段と、スタンプ描画情報算出手段と、スタンプ描画手段とを備え、
前記ペイン情報算出手段は、取得された前記印刷データに含まれる属性情報を読み出し、読み出された前記属性情報の印刷方式に対応して、前記印刷データの各ページデータが画像形成される前記記録紙の記録紙番号及び描画位置の情報であるペイン情報を算出し、
前記ペイン情報の前記記録紙番号は、前記各ページデータが画像形成される際に前記記録紙の何枚目の表裏のどちらに画像形成されるかを示す値であり、
前記ペイン情報の前記描画位置は、前記各ページデータのペインの前記記録紙上に描画される位置を示すデータであり、前記印刷データが描画された描画データ上の左上〜右下の矩形の座標データが用いられ、
前記スタンプ描画情報算出手段は、前記ペイン情報算出手段により算出された前記ペイン情報及びスタンプ設定を参照して、各スタンプに対応して、前記各スタンプが描画される前記記録紙の前記記録紙番号及び前記描画位置の情報であるスタンプ描画情報を算出し、
前記スタンプ描画情報の前記記録紙番号は、前記各スタンプが画像形成される際に前記記録紙の何枚目の表裏のどちらに画像形成されるかを示す値であり、
前記スタンプ描画情報の前記描画位置は、前記各スタンプが前記記録紙上に描画される位置を示すデータであり、前記印刷データが描画された前記描画データ上の左上〜右下の矩形の座標データが用いられ、
前記スタンプ描画手段は、前記スタンプ描画情報算出手段により算出された前記スタンプ描画情報の前記記録紙番号及び前記スタンプ描画情報の前記描画位置に、前記スタンプを描画し、
前記スタンプ描画情報の前記記録紙番号及び前記スタンプ描画情報の前記描画位置は、前記ペイン情報の前記記録紙番号及び前記ペイン情報の前記描画位置に対応付けて設定され、
隣り合わせになるページが小冊子印刷で前記記録紙を跨いで見開きとなった場合に、隣り合わせになるページの前記ペイン情報の記録紙番号が異なっていても、前記記録紙を跨いだ部分に１つのスタンプが描画されるように、前記スタンプ描画情報の前記記録紙番号及び前記スタンプ描画情報の前記描画位置を隣り合わせになるページに対応してそれぞれ設定可能とする
ことを特徴とする画像形成装置。
【請求項２】
前記スタンプ描画情報算出手段は、前記ペイン情報の前記描画位置に対応して、前記スタンプが描画される前記スタンプ描画情報の前記描画位置を変化させ、
左右いずれかに前記スタンプ描画情報の前記描画位置を移動するように設定されている前記スタンプについて、前記スタンプ描画情報の前記記録紙番号と対応付けられている前記ペイン情報の前記描画位置が見開きのどちらになるかにより、ページの左端と右端に前記スタンプ描画情報の前記描画位置を移動させる
ことを特徴とする請求項１に記載の画像形成装置。
【請求項３】
取得された印刷データが記録紙に画像形成される際にスタンプを画像形成可能な画像形成装置により実行される画像形成方法において、
取得された前記印刷データに含まれる属性情報を読み出し、読み出された前記属性情報の印刷方式に対応して、前記印刷データの各ページデータが画像形成される記録紙の記録紙番号及び描画位置の情報であるペイン情報を算出し、
前記ペイン情報の前記記録紙番号は、前記各ページデータが画像形成される際に前記記録紙の何枚目の表裏のどちらに画像形成されるかを示す値であり、
前記ペイン情報の前記描画位置は、前記各ページデータのペインの前記記録紙上に描画される位置を示すデータであり、前記印刷データが描画された描画データ上の左上〜右下の矩形の座標データが用いられ、
算出された前記ペイン情報及びスタンプ設定を参照して、各スタンプに対応して、前記各スタンプが描画される前記記録紙の前記記録紙番号及び前記描画位置の情報であるスタンプ描画情報を算出し、
前記スタンプ描画情報の前記記録紙番号は、前記各スタンプが画像形成される際に前記記録紙の何枚目の表裏のどちらに画像形成されるかを示す値であり、
前記スタンプ描画情報の前記描画位置は、前記各スタンプが前記記録紙上に描画される位置を示すデータであり、前記印刷データが描画された前記描画データ上の左上〜右下の矩形の座標データが用いられ、
算出された前記スタンプ描画情報の前記記録紙番号及び前記スタンプ描画情報の前記描画位置に、前記スタンプを描画し、
前記スタンプ描画情報の前記記録紙番号及び前記スタンプ描画情報の前記描画位置は、前記ペイン情報の前記記録紙番号及び前記ペイン情報の前記描画位置に対応付けて設定され、
隣り合わせになるページが小冊子印刷で前記記録紙を跨いで見開きとなった場合に、隣り合わせになるページの前記ペイン情報の記録紙番号が異なっていても、前記記録紙を跨いだ部分に１つのスタンプが描画されるように、前記スタンプ描画情報の前記記録紙番号及び前記スタンプ描画情報の前記描画位置を隣り合わせになるページに対応してそれぞれ設定可能とする
ことを特徴とする画像形成方法。
【発明の詳細な説明】
【技術分野】
【０００１】
本発明は、画像形成装置及び画像形成方法に係り、特にスタンプ機能を備える画像形成装置及び画像形成方法に関する。
【背景技術】
【０００２】
従来から、文書や画像を印刷可能な複合機（Multifunctional Peripheral, MFP）等の画像形成装置が存在する。
このような画像形成装置では、印刷される記録紙の所定位置に、所定の画像や文字列、日付、ページ番号等であるスタンプを挿入するスタンプ機能を備えるものが存在する。
図８（ａ）には、記録紙の下部に、スタンプＵ１が描画される例が示されている。
【０００３】
特許文献１を参照すると、スタンプを合成したＮアップの集約印刷のための処理を高速で行うことが可能な合成画像生成プログラムが記載されている。特許文献１の技術では、スタンプを付加したＮアップの印刷を行うにあたって、まず、スタンプの合成位置を判定し（判定工程）、印刷するファイルなどを中間データに変換し、合成するスタンプ画像のフォントサイズやスタンプ画像の合成位置を判断し、中間データにスタンプ画像を合成する処理を行う（合成工程）。そして、スタンプ画像が合成された中間データを含むＮページの中間データを１シート上に配置してＮアップの集約印刷を行うための合成画像を生成する（形成工程）。
【０００４】
図８（ｂ）の例によれば、特許文献１のような従来の技術で集約印刷をする場合、同じ記録紙内であれば複数のページに跨ってスタンプＵ２を描画することが可能である。
【先行技術文献】
【特許文献】
【０００５】
【特許文献１】特開２００７−１２９４２４号公報
【発明の概要】
【発明が解決しようとする課題】
【０００６】
しかしながら、特許文献１の技術は、異なる記録紙に跨ってスタンプを描画することができないという問題があった。
図９により、小冊子印刷での例について説明する。
図９（ａ）は、３枚の記録紙がＮ１枚目〜Ｎ３枚目の順に印刷され、画像形成後に小冊子状に折りたたまれる小冊子印刷の例を示している。この場合、各ページは、ページＰ１〜Ｐ１２のような並びで画像形成されていた。
図９（ｂ）はＮ１枚目の裏側、図９（ｃ）はＮ２枚目の表側の記録紙の画像形成後のイメージの例を示している。見開きで考えるとページＰ２とページＰ３は隣り合わせになるものの、記録紙としては異なっていた。このため、特許文献１のような従来の技術では、ページに跨るスタンプＵ３を正しく描画することができず、図９（ｂ）（ｃ）のような印刷イメージとして描画されていた。
【０００７】
本発明は、このような状況に鑑みてなされたものであって、上述の問題点を解消する画像形成装置を提供することを課題とする。
【課題を解決するための手段】
【０００８】
本発明の画像形成装置は、取得された印刷データが記録紙に画像形成される際にスタンプを画像形成可能な画像形成装置において、ペイン情報算出手段と、スタンプ描画情報算出手段と、スタンプ描画手段とを備え、前記ペイン情報算出手段は、取得された前記印刷データに含まれる属性情報を読み出し、読み出された前記属性情報の印刷方式に対応して、前記印刷データの各ページデータが画像形成される前記記録紙の記録紙番号及び描画位置の情報であるペイン情報を算出し、前記ペイン情報の前記記録紙番号は、前記各ページデータが画像形成される際に前記記録紙の何枚目の表裏のどちらに画像形成されるかを示す値であり、前記ペイン情報の前記描画位置は、前記各ページデータのペインの前記記録紙上に描画される位置を示すデータであり、描画データ上の左上〜右下の矩形の座標データが用いられ、前記スタンプ描画情報算出手段は、前記ペイン情報算出手段により算出された前記ペイン情報及びスタンプ設定を参照して、各スタンプに対応して、前記各スタンプが描画される前記記録紙の前記記録紙番号及び前記描画位置の情報であるスタンプ描画情報を算出し、前記スタンプ描画情報の前記記録紙番号は、前記各スタンプが画像形成される際に前記記録紙の何枚目の表裏のどちらに画像形成されるかを示す値であり、前記スタンプ描画情報の前記描画位置は、前記各スタンプが前記記録紙上に描画される位置を示すデータであり、描画データ上の左上〜右下の矩形の座標データが用いられ、前記スタンプ描画手段は、前記スタンプ描画情報算出手段により算出された前記スタンプ描画情報の前記記録紙番号及びスタンプ設定の前記描画位置に、前記スタンプを描画し、前記スタンプ描画情報の前記記録紙番号及び前記スタンプ描画情報の前記描画位置は、前記ペイン情報の前記記録紙番号及び前記ペイン情報の前記描画位置に対応付けて設定され、隣り合わせになるページが小冊子印刷で前記記録紙を跨いで見開きとなった場合に、隣り合わせになるページの前記ペイン情報の記録紙番号が異なっていても、前記記録紙を跨いだ部分に１つのスタンプが描画されるように、前記スタンプ描画情報の前記記録紙番号及び前記スタンプ描画情報の前記描画位置を隣り合わせになるページに対応してそれぞれ設定可能とすることを特徴とする。
本発明の画像形成装置は、前記スタンプ描画情報算出手段は、前記ペイン情報の前記描画位置に対応して、前記スタンプが描画される前記スタンプ描画情報の前記描画位置を変化させ、左右いずれかに前記スタンプ描画情報の前記描画位置を移動するように設定されている前記スタンプについて、前記スタンプ描画情報の前記記録紙番号と対応付けられている前記ペイン情報の前記描画位置が見開きのどちらになるかにより、ページの左端と右端に前記スタンプ描画情報の前記描画位置を移動させることを特徴とする。
本発明の画像形成方法は、取得された印刷データが記録紙に画像形成される際にスタンプを画像形成可能な画像形成装置により実行される画像形成方法において、取得された前記印刷データに含まれる属性情報を読み出し、読み出された前記属性情報の印刷方式に対応して、前記印刷データの各ページデータが画像形成される記録紙の記録紙番号及び描画位置の情報であるペイン情報を算出し、前記ペイン情報の前記記録紙番号は、前記各ページデータが画像形成される際に前記記録紙の何枚目の表裏のどちらに画像形成されるかを示す値であり、前記ペイン情報の前記描画位置は、前記各ページデータのペインの前記記録紙上に描画される位置を示すデータであり、描画データ上の左上〜右下の矩形の座標データが用いられ、算出された前記ペイン情報及びスタンプ設定を参照して、各スタンプに対応して、前記各スタンプが描画される前記記録紙の前記記録紙番号及び前記描画位置の情報であるスタンプ描画情報を算出し、前記スタンプ描画情報の前記記録紙番号は、前記各スタンプが画像形成される際に前記記録紙の何枚目の表裏のどちらに画像形成されるかを示す値であり、前記スタンプ描画情報の前記描画位置は、前記各スタンプが前記記録紙上に描画される位置を示すデータであり、描画データ上の左上〜右下の矩形の座標データが用いられ、算出された前記スタンプ描画情報の前記記録紙番号及びスタンプ設定の前記描画位置に、前記スタンプを描画し、前記スタンプ描画情報の前記記録紙番号及び前記スタンプ描画情報の前記描画位置は、前記ペイン情報の前記記録紙番号及び前記ペイン情報の前記描画位置に対応付けて設定され、隣り合わせになるページが小冊子印刷で前記記録紙を跨いで見開きとなった場合に、隣り合わせになるページの前記ペイン情報の記録紙番号が異なっていても、前記記録紙を跨いだ部分に１つのスタンプが描画されるように、前記スタンプ描画情報の前記記録紙番号及び前記スタンプ描画情報の前記描画位置を隣り合わせになるページに対応してそれぞれ設定可能とすることを特徴とする。
【発明の効果】
【０００９】
本発明によれば、各ページが画像形成される記録紙の記録紙番号及び描画位置の情報であるペイン（pane）情報を算出し、ペイン情報により、スタンプが描画される記録紙の記録紙番号及び描画位置であるスタンプ描画情報を算出して、スタンプ描画情報に対応した位置にスタンプを描画することで、異なる記録紙に跨ってスタンプを描画することが可能な画像形成装置を提供することができる。
【図面の簡単な説明】
【００１０】
【図１】本発明の画像形成装置の実施の形態に係るシステム構成図である。
【図２】図１に示すペイン情報及びスタンプ描画情報の詳細を示すブロック図である。
【図３】本発明の実施の形態に係るスタンプ描画処理のフローチャートである。
【図４】図３に示すスタンプ設定処理の画面例である。
【図５】図３に示すページ毎スタンプ情報算出処理及び描画位置変化処理の概念図である。
【図６】本発明の画像形成装置の実施の形態に係る全体の構成を示すブロック図である。
【図７】本発明の画像形成装置実施の形態に係る概略図である。
【図８】従来のスタンプを説明する概念図である。
【図９】従来のスタンプを小冊子印刷で描画した例を説明する概念図である。
【発明を実施するための形態】
【００１１】
＜実施の形態＞
〔画像形成装置１の全体の構成〕
まず、図６により、画像形成装置１の全体の構成について説明する。
【００１２】
画像形成装置１は、画像処理部１１、原稿読取部１２、原稿給送部１３、搬送部（給紙ローラー４２ｂ、搬送ローラー４４、排出ローラー４５）、ネットワーク送受信部１５、操作パネル部１６、画像形成部１７（画像形成手段）、ＦＡＸ送受信部１８、及び記憶部１９等が制御部１０に接続されている。各部は、制御部１０によって動作制御される。
【００１３】
制御部１０は、ＧＰＰ（General Purpose Processor）、ＣＰＵ（Central Processing Unit、中央処理装置）、ＭＰＵ（Micro Processing Unit）、ＤＳＰ（Digital Signal Processor）、ＧＰＵ（Graphics Processing Unit）、ＡＳＩＣ（Application Specific Processor、特定用途向けプロセッサー）等の情報処理手段である。
制御部１０は、記憶部１９のＲＯＭやＨＤＤに記憶されている制御プログラムを読み出して、この制御プログラムをＲＡＭに展開させて実行することで、後述する機能ブロックの各手段として動作させられる。また、制御部１０は、図示しない外部の端末や操作パネル部１６から入力された所定の指示情報に応じて、装置全体の制御を行う。
【００１４】
画像処理部１１は、ＤＳＰ（Digital Signal Processor）やＧＰＵ（Graphics Processing Unit）等の制御演算手段である。画像処理部１１は、画像データに対して所定の画像処理を行う手段であり、例えば、拡大縮小処理、濃度調整、階調調整、画像改善処理等の各種画像処理を行う。
画像処理部１１は、原稿読取部１２で読み取られた画像を、記憶部１９に印刷データ３００として記憶する。この際、画像処理部１１は、印刷データ３００をＰＤＦやＴＩＦＦ等のフォーマットのファイル単位に変換することも可能である。
【００１５】
原稿読取部１２は、セットされた原稿を読み取る（スキャン）手段である。
原稿給送部１３は、原稿読取部１２で読み取られる原稿を搬送する手段である。
画像形成部１７は、ユーザーの出力指示により、記憶部１９に記憶され、原稿読取部１２で読み取られ、又は外部の端末から取得されたデータから記録紙への画像形成を行わせる手段である。
搬送部は、給紙カセット４２ａ（図７）から記録紙を搬送し、画像形成部１７で画像形成させ、その後にスタックトレイ５０へ搬送する。
なお、原稿読取部１２、原稿給送部１３、搬送部、画像形成部１７の動作については後述する。
【００１６】
ネットワーク送受信部１５は、ＬＡＮ、無線ＬＡＮ、ＷＡＮ、携帯電話網等の外部ネットワークに接続するためのＬＡＮボードや無線送受信機等を含むネットワーク接続手段である。
ネットワーク送受信部１５は、データ通信用の回線ではデータを送受信し、音声電話回線では音声信号を送受信する。
【００１７】
操作パネル部１６は、ＬＣＤ等の表示部と、テンキー、スタート、キャンセル、複写やＦＡＸ送信やスキャナー等の動作モードの切り換えのボタン、選択された文書の印刷や送信や保存や記録等に関するジョブの実行に係る指示を行うためのボタンやタッチパネル等の入力部とを備えている。
操作パネル部１６は、ボタンやタッチパネル等の押下により、又は接続された図示しない人感センサー等から、省電力状態から復帰させる復帰信号を取得し、制御部１０を含む各部へ送信可能である。
操作パネル部１６は、ユーザーによる画像形成装置１の各種ジョブの指示を取得する。また、操作パネル部１６から取得したユーザーの指示により、各ユーザーの情報を入力、変更することも可能である。
【００１８】
記憶部１９は、ＲＯＭ（Read Only Memory）、ＲＡＭ（Random Access Memory）等の半導体メモリーやＨＤＤ（Hard Disk Drive）等の記録媒体を用いた記憶手段である。
記憶部１９のＲＡＭは、省電力状態であっても、セルフリフレッシュ等の機能により、記憶内容が保持される。
記憶部１９のＲＯＭやＨＤＤには画像形成装置１の動作制御を行うための制御プログラムが記憶されている。これに加えて、記憶部１９は、ユーザーのアカウント設定も記憶している。また、記憶部１９には、ユーザー毎の保存フォルダーの領域が含まれていてもよい。
【００１９】
なお、画像形成装置１において、制御部１０及び画像処理部１１は、ＧＰＵ内蔵ＣＰＵ等やチップ・オン・モジュールパッケージのように、一体的に形成されていてもよい。
また、制御部１０及び画像処理部１１は、ＲＡＭやＲＯＭやフラッシュメモリー等を内蔵していてもよい。
また、画像形成装置１は、ファクシミリの送受信を行うＦＡＸ送受信部を備えていてもよい。
【００２０】
〔画像形成装置１の動作〕
次に、図７を参照して、本発明の実施の形態に係る画像形成装置１の動作について説明する。
原稿読取部１２は、本体部１４の上部に配設され、原稿給送部１３は、原稿読取部１２の上部に配設されている。スタックトレイ５０は、本体部１４に形成された記録紙の排出口４１側に配設され、また、操作パネル部１６は、画像形成装置１のフロント側に配設されている。
【００２１】
原稿読取部１２は、スキャナー１２ａと、プラテンガラス１２ｂと、原稿読取スリット１２ｃとを備えている。スキャナー１２ａは、露光ランプ、及びＣＣＤ(Charge Coupled Device)やＣＭＯＳ（Complementary Metal Oxide Semiconductor）撮像センサー等から構成され、原稿給送部１３による原稿の搬送方向に移動可能に構成されている。
プラテンガラス１２ｂは、ガラス等の透明部材により構成された原稿台である。原稿読取スリット１２ｃは、原稿給送部１３による原稿の搬送方向と直交方向に形成されたスリットを有する。
【００２２】
プラテンガラス１２ｂに載置された原稿を読み取る場合には、スキャナー１２ａは、プラテンガラス１２ｂに対向する位置に移動され、プラテンガラス１２ｂに載置された原稿を走査しながら原稿を読み取って画像データを取得して、取得した画像データを本体部１４の制御部１０（図６）に出力する。
また、原稿給送部１３により搬送された原稿を読み取る場合には、スキャナー１２ａは、原稿読取スリット１２ｃと対向する位置に移動され、原稿読取スリット１２ｃを介し、原稿給送部１３による原稿の搬送動作と同期して原稿を読み取って画像データを取得し、取得した画像データを本体部１４の制御部１０に出力する。
【００２３】
原稿給送部１３は、原稿載置部１３ａと、原稿排出部１３ｂと、原稿搬送機構１３ｃとを備えている。原稿載置部１３ａに載置された原稿は、原稿搬送機構１３ｃによって、１枚ずつ順に繰り出されて原稿読取スリット１２ｃに対向する位置へ搬送され、その後、原稿排出部１３に排出される。
なお、原稿給送部１３は、可倒式に構成され、原稿給送部１３を上方に持ち上げることで、プラテンガラス１２ｂの上面を開放させることができる。
【００２４】
本体部１４は、画像形成部１７を備えると共に、給紙部４２と、用紙搬送路４３と、搬送ローラー４４と、排出ローラー４５とを備えている。給紙部４２は、それぞれサイズ又は向きが異なる記録紙を収納する複数の給紙カセット４２ａと、給紙カセット４２ａから記録紙を１枚ずつ用紙搬送路４３に繰り出す給紙ローラー４２ｂとを備えている。給紙ローラー４２ｂ、搬送ローラー４４、及び排出ローラー４５は、搬送部として機能する。記録紙は、この搬送部により搬送される。
給紙ローラー４２ｂによって用紙搬送路４３に繰り出された記録紙は、搬送ローラー４４によって画像形成部１７に搬送される。そして、画像形成部１７によって記録が施された記録紙は、排出ローラー４５によってスタックトレイ５０に排出される。
【００２５】
画像形成部１７は、感光体ドラム１７ａと、露光部１７ｂと、現像部１７ｃと、転写部１７ｄと、定着部１７ｅとを備えている。露光部１７ｂは、レーザー装置やミラーやレンズやＬＥＤアレイ等を備えた光学ユニットであり、画像データに基づいて光等を出力して感光体ドラム１７ａを露光し、感光体ドラム１７ａの表面に静電潜像を形成する。現像部１７ｃは、トナーを用いて感光体ドラム１７ａに形成された静電潜像を現像する現像ユニットであり、静電潜像に基づいたトナー像を感光体ドラム１７ａ上に形成させる。転写部１７ｄは、現像部１７ｃによって感光体ドラム１７ａ上に形成されたトナー像を記録紙に転写させる。定着部１７ｅは、転写部１７ｄによってトナー像が転写された記録紙を加熱してトナー像を記録紙に定着させる。
【００２６】
ＦＡＸ送受信部１８は、ファクシミリの送受信を行う部位であり、通常の電話回線やＩＳＤＮ回線等と接続されている。
また、ＦＡＸ送受信部１８は、受信したファクシミリ画像を、記憶部１９に記憶する。また、ＦＡＸ送受信部１８は、記憶部１９に記憶された画像データを、画像形成部１７で記録する代わりにファクシミリ送信してもよい。
【００２７】
〔画像形成装置１のシステム構成〕
ここで、図１及び図２を参照し、画像形成装置１のシステム構成について説明する。
画像形成装置１は、印刷データ取得部１００（印刷データ取得手段）、ペイン情報算出部１１０（ペイン情報算出手段）、スタンプ描画情報算出部１２０（スタンプ描画情報算出手段）、及びスタンプ描画部１３０（スタンプ描画手段）を備えている。
記憶部１９は、印刷データ３００、スタンプ設定３１０、ペイン情報３２０、スタンプ描画情報３３０、及び描画データ３４０を記憶する。
【００２８】
印刷データ取得部１００は、原稿読取部１２、ＦＡＸ送受信部１８、又は図示しない端末や外部の記録媒体等から印刷データ３００を取得し、記憶部１９に保存する。
また、印刷データ取得部１００は、操作パネル部１６や外部の端末によるユーザーの指示により、記憶部１９のスタンプ設定３１０を設定する。
【００２９】
ペイン情報算出部１１０は、印刷データ３００の各ページのペイン情報３２０を算出する。ペイン（pane）は、各ページが記録紙に描画される描画区画を示している。ペイン情報算出部１１０は、印刷データ３００に含まれる属性情報３０１を読み出す。ペイン情報算出部１１０は、読み出された属性情報３０１の印刷方式に対応して、各ページのページデータ３０２が画像形成部１７で画像形成される際の記録紙の記録紙番号３２２及び描画位置３２３を算出する。ペイン情報算出部１１０は、各ページの記録紙番号３２２及び描画位置３２３を、ペイン情報３２０として記憶部１９に保存する。
【００３０】
スタンプ描画情報算出部１２０は、ペイン情報３２０とスタンプ設定３１０を参照し、各スタンプについて、描画される記録紙の記録紙番号３３２及び描画位置３３３を算出する。スタンプ描画情報算出部１２０は、各スタンプについて算出された、描画される記録紙の記録紙番号３３２及び描画位置３３３の情報を、スタンプ描画情報３３０として記憶部１９に保存する。
また、スタンプ描画情報算出部１２０は、ペイン情報３２０の描画位置３２３に対応して、スタンプ描画情報３３０の描画位置３３３を変化させ、スタンプが描画される位置を変化させる。
【００３１】
スタンプ描画部１３０は、スタンプ描画情報算出部１２０により算出されたスタンプ描画情報３３０に対応した記録紙番号の記録紙の描画位置３３３に、スタンプを描画する。スタンプ描画部１３０は、スタンプ描画情報算出部１２０によりスタンプ情報の描画位置３３３が変化していた場合、この変化した描画位置３３３にスタンプを描画する。また、スタンプ描画部１３０は、印刷データ３００についても、ペイン情報３２０に対応する記録紙の描画位置３２３に描画してもよい。
【００３２】
印刷データ３００は、印刷データ取得部１００により取得された画像及び／又は文書のデータである。印刷データ３００の画像データ及び／又は文書のデータは、原稿読取部１２やＦＡＸ送受信部１８で読み取られたビットマップ等の画像データ、外部の端末や記録媒体等から取得されたＰＤＬ（Page Description Language）の文書のデータ、ＰＤＦ（Portable Document Format）等の文書のデータ、ｊｐｇやＧＩＦやＴＩＦＦ等のフォーマットの画像データ等であってもよい。
【００３３】
スタンプ設定３１０は、印刷データ３００が画像形成される際に、記録紙に画像形成されるスタンプの設定を示すデータである。また、スタンプ設定３１０は、描画される画像データ及び／又は文字データと、スタンプの設定の情報とを含んでいる。スタンプ設定３１０の画像データ及び文字データは、スタンプやウォーターマークや表紙や定形データとして描画される画像及び文字のデータを含んでいる。スタンプ設定３１０のスタンプ設定３１０の情報は、スタンプを付加するページ番号、日付、ユーザーにより指定された文字列及び／又は画像、文字列及び／又は画像の描画位置や角度や微調整位置（マージン）の指定、見開きや製本印刷時に描画する位置を変化させるかの変化設定等のデータを含んでいる。なお、スタンプ設定３１０は、記憶部１９に複数記憶され、印刷データ３００毎に選択可能な構成であってもよい。また、スタンプ設定３１０が印刷データ３００に含まれる構成であってもよい。
【００３４】
ペイン情報３２０は、各ページと画像形成される際の記録紙との対応関係を示すデータである。ペイン情報３２０は、この対応関係として、印刷データ３００が記録紙に画像形成される際に、何枚目の表裏のどの位置にどのページが印刷されるかについてのデータを含んでいる。
【００３５】
スタンプ描画情報３３０は、各スタンプと各ペインとの対応関係を示すデータである。スタンプ描画情報３３０は、この対応関係として、スタンプ設定３１０及びペイン情報３２０に基づいて、印刷データ３００が記録紙に画像形成される際に、何枚目の表裏のどの位置にどのスタンプが印刷されるかについてのデータを含んでいる。
【００３６】
描画データ３４０は、スタンプ描画部１３０により印刷データ３００がラスタライズ（描画）等され、スタンプが描画されたビットマップデータや当該ビットマップデータがランレングスで圧縮されたデータ等である。また、描画データ３４０は、ＦＡＸ送受信部１８からファクシミリ送信するためのビットマップデータ等であってもよい。また、描画データ３４０は、ＰＤＦ等のファイルであってもよい。描画データ３４０は、画像形成部１７に送信される際の色毎に分割されていてもよく、バンド等と呼ばれる所定単位で分割されていてもよい。
【００３７】
図２を参照して、印刷データ３００、ペイン情報３２０、及びスタンプ描画情報３３０の詳細について説明する。
印刷データ３００は、属性情報３０１と、一つ以上のページデータ３０２とを含んでいる。
印刷データ３００の属性情報３０１は、印刷データ３００全体の属性を示すデータである。印刷データ３００の属性としては、印刷方式、用紙サイズ、余白やマージンや見当標の位置及び大きさ、カラー／白黒印刷の種別、パスワード指定、ファイル名、ファイルの種類、作成時刻、更新時刻、閲覧時刻等を含んでいてもよい。また、印刷データ３００の印刷方式としては、片面／両面印刷、右綴じ／左綴じ／短辺綴じ／長辺綴じ等の綴じ方の指定、Ｎアップ等の集約印刷、小冊子印刷、ポスター印刷、製本印刷、ステープル等の後指定の有無等の指定を含んでいてもよい。
ページデータ３０２は、印刷データ３００の各ページのデータである。ページデータ３０２の各ページのデータとしては、ＰＤＬデータ及び画像データ、ページ毎の各種設定データ、メタデータ、プロパティ情報等を含んでいてもよい。
【００３８】
ペイン情報３２０は、印刷データ３００の各ページデータ３０２に対応付けられた各ペインの記録紙番号３２２及び描画位置３２３を含んでいる。
記録紙番号３２２は、各ページデータ３０２が画像形成部１７で画像形成される際に、記録紙の何枚目の表裏のどちらに画像形成されるかを示す値である。
描画位置３２３は、各ページデータ３０２のペインの記録紙上の描画位置を示すデータである。描画位置３２３の描画位置としては、例えば、描画データ３４０（図１）上の左上〜右下の矩形の座標データを用いてもよい。
【００３９】
スタンプ描画情報３３０は、ペイン情報３２０の各ペインに対応付けられた各スタンプの記録紙番号３３２及び描画位置３３３を含んでいる。
記録紙番号３３２は、各スタンプが画像形成部１７で画像形成される際に、記録紙の何枚目の表裏のどちらに画像形成されるかを示す値である。
描画位置３２３は、各スタンプの記録紙上の描画位置を示すデータである。描画位置３２３の描画位置についても、例えば、描画データ３４０上の左上〜右下の矩形の座標データを用いてもよい。
【００４０】
ここで、画像形成装置１の制御部１０は、記憶部１９に記憶された制御プログラムを実行することで、印刷データ取得部１００、ペイン情報算出部１１０、スタンプ描画情報算出部１２０、スタンプ描画部１３０として機能する。
また、上述の画像形成装置１の各部は、本発明の画像形成方法を実行するハードウェア資源となる。
【００４１】
〔画像形成装置１によるスタンプ描画処理〕
次に、図３〜図５を参照して、本発明の実施の形態に係る画像形成装置１によるスタンプ描画処理の説明を行う。
本実施形態のスタンプ描画処理は、ペイン情報３２０を算出し、このペイン情報３２０を基にスタンプを描画するか否かのスタンプ描画情報３３０を算出し、例えば、小冊子印刷に対応したスタンプの画像形成を行う。
本実施形態のスタンプ描画処理は、主に制御部１０が、記憶部１９に記憶されたプログラムを、各部と協働し、ハードウェア資源を用いて実行する。
以下で、図３のフローチャートを参照して、スタンプ描画処理の詳細をステップ毎に説明する。
【００４２】
（ステップＳ１００）
まず、制御部１０が、印刷データ取得部１００により、スタンプ設定処理を行う。
図４を参照して説明すると、制御部１０は、操作パネル部１６により、スタンプの設定をユーザーに行わせる。図４の画面例５００は、操作パネル部１６に表示されるこの設定画面の例である。
表示欄６１０は、設定されるスタンプのフォーマットを所定の記述言語等で指定する入力欄である。
表示欄６２０は、設定されるスタンプのプレビュー画面が表示される表示欄である。
表示欄６３０は、スタンプのウォーターマークや表紙等の種別、見開き等でスタンプの描画位置を変化させるか否かの変化設定、ページ番号、日付、文字列、画像等について指定する指定欄である。
ボタン７１０は、設定完了のボタンである。制御部１０は、ボタン７１０の押下を検知すると、設定されたスタンプをスタンプ設定３１０として記憶部１９に保存する。
ボタン７２０は、設定をキャンセルするためのボタンである。このボタン７２０の押下により、制御部１０は、スタンプ設定３１０を保存せず、設定画面を終了する。
なお、図示しない外部の端末により、スタンプの設定を行ってもよい。この場合、デバイスドライバーのＧＵＩ（Graphical User Interface）でスタンプの設定を行い、印刷データ３００にスタンプ設定３１０を含めてもよい。また、外部の記録媒体（図示せず）から、既に設定されたスタンプ設定３１０を読み込んでもよい。
【００４３】
（ステップＳ１０１）
次に、制御部１０が、印刷データ取得部１００により、印刷データ取得処理を行う。
制御部１０は、原稿給送部１３にセットされた原稿を原稿読取部１２に読み取らせ、この画像データを印刷データ３００として取得し、記憶部１９に保存する。
また、制御部１０は、ＦＡＸ送受信部１８からファクシミリ受信した原稿等の画像データを印刷データ３００として取得し、記憶部１９に保存してもよい。
また、制御部１０は、外部の端末の各種アプリケーションソフトウェアからデバイスドライバーにより出力された印刷データ３００を、外部のネットワークを介してネットワーク送受信部１５にて受信し、記憶部１９に保存してもよい。
また、制御部１０は、接続された記録媒体（図示せず）から印刷データ３００を取得して、記憶部１９の記憶部１９に保存してもよい。
なお、制御部１０は、操作パネル部１６の入力部や端末からユーザーにユーザーＩＤとパスワードを入力させてこれを取得し、ユーザー認証を行ってもよい。また、ＩＣカード等によるユーザー認証を行ってもよい。
【００４４】
（ステップＳ１０２）
次に、制御部１０が、ペイン情報算出部１１０により、ページ毎ペイン情報算出処理を行う。制御部１０は、取得された印刷データ３００の各ページデータ３０２について、画像形成される記録紙の記録紙番号３２２及び描画位置３２３を算出して、ペイン情報３２０として記憶部１９に保存する。
制御部１０は、例えば、印刷データ３００の属性情報３０１の印刷方式を参照し、各ページデータ３０２のペインが記録紙の何枚目の表裏になるかを算出する。また、制御部１０は、印刷方式に含まれる余白やマージンや見当標の位置及び大きさの情報も参照して、ペインの大きさや位置も算出する。
図９の小冊子印刷の例で説明すると、制御部１０は、例えば、ページＰ１のペイン情報３２０の記録紙番号３２２はＮ１枚目の表面で描画位置は右側、ページＰ２のペイン情報３２０の記録紙番号３２２はＮ１枚目の裏面で描画位置は左側、ページＰ３のペイン情報３２０の記録紙番号３２２はＮ２枚目の表面で描画位置は右側、……といったように算出する。
【００４５】
（ステップＳ１０３）
次に、制御部１０が、ペイン情報算出部１１０により、ペイン情報３２０の算出が完了したか否かを判定する。制御部１０は、印刷データ３００に含まれる全てのページデータ３０２のペイン情報３２０の算出が完了した場合に、Ｙｅｓと判定する。制御部１０は、それ以外の場合には、Ｎｏと判定する。
Ｙｅｓの場合、制御部１０は、処理をステップＳ１０４に進める。
Ｎｏの場合、制御部１０は、処理をステップＳ１０２に戻して、ペイン情報３２０の算出を続ける。
【００４６】
（ステップＳ１０４）
すべてのページのペイン情報３２０を算出した場合、制御部１０が、スタンプ描画情報算出部１２０により、スタンプ毎スタンプ情報算出処理を行う。
制御部１０は、スタンプ設定３１０を読み出し、印刷データ３００のどのページにスタンプを描画するかを検索する。制御部１０は、検索されたページデータ３０２のペイン情報３２０の記録紙番号３２２及び描画位置３３３を、スタンプ描画情報３３０の記録紙番号３３２及び描画位置３３３に対応付けする。制御部１０は、この上で、当該ページに対応するペイン情報３２０の記録紙番号３２２をスタンプの記録紙番号３３２に設定し、描画位置３２３の描画位置から描画位置３３３を算出する。
【００４７】
図５（ａ）（ｂ）により、図９と同様に、スタンプ設定３１０で中央下にスタンプＵ３が描画されるように設定され、小冊子印刷が設定されている例について説明する。
図５（ａ）では、制御部１０は、例えば、スタンプ描画情報３３０の記録紙番号３３２をＮ１枚目の裏面としてページＰ２のページデータ３０２に対応付けする。図５（ｂ）では、制御部１０は、同様に記録紙番号３３２をＮ２枚目の表面としてページＰ３のページデータ３０２に対応付けする。このように、制御部１０は、ページＰ２とページＰ３とが小冊子印刷で記録紙を跨いで見開きとなった場合でも、中央下にスタンプＵ３が描画されるように描画位置３３３をそれぞれ設定することが可能である。
つまり、制御部１０は、記録紙番号３２２が異なっていても、スタンプ描画情報３３０の記録紙番号３３２を設定し、描画位置３３３を設定可能である。
【００４８】
（ステップＳ１０５）
次に、制御部１０が、スタンプ描画情報算出部１２０により、描画位置変化処理を行う。
制御部１０は、スタンプ設定３１０の変化設定等を参照し、見開き等で位置を変化させる設定になっていた場合、スタンプ描画情報３３０の描画位置３３３を変化させる。制御部１０は、この際、印刷データ３００の属性情報３０１を参照し、スタンプ描画情報３３０の記録紙番号３２２と対応付けられているペイン情報３２０ｐの描画位置が、例えば、見開き等のどちらになるかにより、スタンプ描画情報３３０の描画位置３３３を左右に移動させる。
図５（ｃ）によると、見開きの左右に描画位置を移動するように設定されているスタンプＵ４について、ページＰ２とページＰ１１とで、それぞれ左端と右端に描画位置を移動させている。
また、印刷データ３００の属性情報３０１に、とじしろのようなマージンＭが設定されている場合、スタンプＵ３が中央部から左右に移動されている。
【００４９】
（ステップＳ１０６）
次に、制御部１０が、スタンプ描画情報算出部１２０により、スタンプ描画情報３３０の算出が完了したか否かを判定する。制御部１０は、スタンプ設定３１０に設定された印刷データ３００の全てのページについて、スタンプ描画情報３３０が算出された場合に、Ｙｅｓと判定する。制御部１０は、それ以外の場合には、Ｎｏと判定する。
Ｙｅｓの場合、制御部１０は、処理をステップＳ１０７に進める。
Ｎｏの場合、制御部１０は、処理をステップＳ１０４に戻して、スタンプ描画情報３３０の算出を続ける。
【００５０】
（ステップＳ１０７）
スタンプ描画情報３３０の算出が完了した場合には、制御部１０が、スタンプ描画部１３０により、ページデータ描画処理を行う。
制御部１０は、各ページデータ３０２のＰＤＬや画像データ等を、当該ページデータ３０２に対応付けられたペイン情報３２０の記録紙番号３２２の描画位置３２３に対応する描画データ３４０の箇所に描画する。制御部１０は、この際に、印刷データ３００の属性情報３０１に合わせた描画を行う。また、制御部１０は、例えば、描画位置３２３の矩形データに合わせて拡大・縮小等して描画してもよい。
【００５１】
（ステップＳ１０８）
次に、制御部１０が、スタンプ描画部１３０により、スタンプ描画処理を行う。
制御部１０は、各ページデータ３０２のペイン情報３２０に対応付けられたスタンプ描画情報３３０がある場合には、記録紙番号３３２の描画位置３３３に対応する描画データ３４０の箇所にスタンプを描画する。
【００５２】
（ステップＳ１０９）
次に、制御部１０が、スタンプ描画部１３０により、記録紙番号順出力処理を行う。
制御部１０は、描画が完了した描画データ３４０について、記録紙番号順に、画像形成部１７により記録紙に画像形成させる。制御部１０は、両面印刷の場合は、両面に画像形成させる。
また、制御部１０は、描画データ３４０をＦＡＸ送受信部１８によりファクシミリ送信してもよい。
また、制御部１０は、描画データ３４０をＰＤＦに変換して記憶部１９の文書ボックスに出力したり外部の端末や記録媒体に出力してもよい。
【００５３】
（ステップＳ１１０）
次に、制御部１０が、スタンプ描画部１３０により、全てのページについて記録紙の出力が完了したか否かを判定する。制御部１０は、印刷データ３００の全てのページについて、記録紙に画像形成等で出力が完了した場合に、Ｙｅｓと判定する。制御部１０は、それ以外の場合には、Ｎｏと判定する。
Ｙｅｓの場合、制御部１０は、スタンプ描画処理を終了する。
Ｎｏの場合、制御部１０は、処理をステップＳ１０７に戻して、ページデータ３０２及びスタンプの描画と記録紙への出力とを続ける。
以上により、本発明の実施の形態に係るスタンプ描画処理を終了する。
【００５４】
以上のように構成することで、以下のような効果を得ることができる。
従来、特許文献１の技術では、小冊子印刷等において、ページに跨がってスタンプを描画することはできなかった。
これに対して、本発明の実施の形態に係る画像形成装置１は、記録紙にスタンプを画像形成可能であり、印刷データ３００の各ページが画像形成される記録紙の記録紙番号３２２及び描画位置３２３の情報であるペイン情報３２０を算出するペイン情報算出部１１０と、ペイン情報算出部１１０により算出されたペイン情報３２０により、スタンプが描画される記録紙の記録紙番号３３２及び描画位置３３３の情報であるスタンプ描画情報３３０を算出するスタンプ描画情報算出部１２０と、スタンプ描画情報算出部１２０により算出されたスタンプ描画情報３３０に対応した記録紙番号３３２枚目の記録紙の描画位置３３３に、スタンプを描画するスタンプ描画部１３０とを備えることを特徴とする。
このように構成し、ペイン毎にスタンプを描画するか否かのスタンプ描画情報３３０を算出することで、小冊子印刷等で記録紙に跨がってスタンプを描画する処理を実現することが可能になる。これにより、例えば、小冊子の合わせ面等を容易に指定することが可能となりユーザーの使い勝手をよくすることができる。
【００５５】
また、本発明の実施の形態に係る画像形成装置１は、スタンプ描画情報算出部１２０が、ペイン情報３２０の描画位置に対応して、スタンプが描画される描画位置を変化させることを特徴とする。
このように構成することで、小冊子印刷等において、見開きの左右の端にページや名称等をスタンプすることが可能になる。このため、小冊子印刷等を使いやすくすることができる。
【００５６】
なお、本発明の実施の形態においては、ページに跨がるスタンプとして、小冊子印刷の例について説明したが、ポスター印刷や製本印刷等についても同様に適用可能である。また、集約印刷について、３枚以上集約した３アップ、４アップ、６アップ、８アップ等の印刷方式にも適用可能である。
これにより、スタンプが必要な箇所に確実にスタンプを描画することが可能となる。たとえば、ポスター印刷の場合は、貼り合わせる箇所をスタンプで描画して指定でき、各記録紙を容易に組み合わせて大きなポスターとすることができる。
【００５７】
また、上記実施の形態の構成及び動作は例であって、本発明の趣旨を逸脱しない範囲で適宜変更して実行することができることは言うまでもない。
【符号の説明】
【００５８】
１  画像形成装置
１０  制御部
１１  画像処理部
１２  原稿読取部
１２ａ  スキャナー
１２ｂ  プラテンガラス
１２ｃ  原稿読取スリット
１３  原稿給送部
１３ａ  原稿載置部
１３ｂ  原稿排出部
１３ｃ  原稿搬送機構
１４  本体部
１５  ネットワーク送受信部
１６  操作パネル部
１７  画像形成部
１８  ＦＡＸ送受信部
１７ａ  感光体ドラム
１７ｂ  露光部
１７ｃ  現像部
１７ｄ  転写部
１７ｅ  定着部
１９  記憶部
４１  排出口
４２  給紙部
４２ａ  給紙カセット
４２ｂ  給紙ローラー
４３  用紙搬送路
４４  搬送ローラー
４５  排出ローラー
５０  スタックトレイ
１００  印刷データ取得部（印刷データ取得手段）
１１０  ペイン情報算出部（ペイン情報算出手段）
１２０  スタンプ描画情報算出部（スタンプ描画情報算出手段）
１３０  スタンプ描画部（スタンプ描画手段）
３００  印刷データ
３０１  属性情報
３０２  ページデータ
３１０  スタンプ設定
３２０  ペイン情報
３２２、３３２  記録紙番号
３２３、３３３  描画位置
３３０  スタンプ描画情報
３４０  描画データ
５００  画面例
６１０、６２０、６３０  表示欄
７１０、７２０  ボタン
Ｕ１、Ｕ２、Ｕ３、Ｕ４  スタンプ
Ｎ１、Ｎ２、Ｎ３  記録紙
Ｍ  マージン
【図１】
0005932736.tif 000002
【図２】
0005932736.tif 000003
【図３】
0005932736.tif 000004
【図４】
0005932736.tif 000005
【図５】
0005932736.tif 000006
【図６】
0005932736.tif 000007
【図７】
0005932736.tif 000008
【図８】
0005932736.tif 000009
【図９】
0005932736.tif 000010